(57)【特許請求の範囲】
【請求項１】
現在受信している番組の映像信号に重畳された、前記番組の過激度を表すレイティング情報および前記番組の番組名を含む番組関連情報のデータを抜き取るデータ抜き取り手段と、
ブロックすべき番組のレイティングを設定するレイティング設定手段と、
前記データ抜き取り手段により取り出されたレイティング情報に含まれるレイティングレベルと、前記レイティング設定手段によって設定されたレイティングレベルとを比較するレイティング解読手段と、
前記レイティング解読手段による解読の結果に応じて映像をブロックする映像ブロック手段と、
前記データ抜き取り手段により取り出された番組名を含む番組関連情報を解読する番組関連情報解読手段と、
前記番組関連情報解読手段により解読された番組関連情報を画面上に表示する機能を有する表示手段と、
前記映像ブロック手段による映像ブロック動作と連動して、前記表示手段による番組関連情報の表示のオン・オフを制御するものであって、前記映像ブロック手段によって映像ブロック動作が行われている場合には前記表示手段の番組関連情報表示機能をオンとし、前記映像ブロック手段によって映像ブロック動作が行われていない場合には前記表示手段の番組関連情報表示機能をオフとする制御手段と
を具備したことを特徴とする視聴制限機能内蔵テレビジョン受像機。
【請求項２】
前記レイティング設定手段は、使用者により予め設定されたレイティングレベルを記憶する記憶手段を備え、
前記レイティング解読手段は、前記データ抜き取り手段により取り出されたレイティングレベルと、前記レイティング設定手段に記憶されたレイティングレベルとを比較することを特徴とする請求項１に記載の視聴制限機能内蔵テレビジョン受像機。
【請求項３】
前記データ抜き取り手段により取り出されたレイティングレベルが、前記レイティング設定手段によって設定されたレイティングレベルよりも高い場合、
前記映像ブロック手段は、映像ブロック動作を行い、
前記制御手段は、前記表示手段の番組関連情報表示機能をオンとすることを特徴とする請求項１に記載の視聴制限機能内蔵テレビジョン受像機。
【請求項４】
前記データ抜き取り手段により取り出されたレイティングレベルが、前記レイティング設定手段によって設定されたレイティングレベル以下の場合、前記映像ブロック手段は、映像ブロック動作を行わず、前記制御手段は、前記表示手段の番組関連情報表示機能をオフとすることを特徴とする請求項１に記載の視聴制限機能内蔵テレビジョン受像機。
【発明の詳細な説明】
【０００１】
【発明の属する技術分野】
本発明は番組の視聴制限機能を有するテレビジョン受像機に係り、特に番組の視聴制限が行われている場合、各番組における番組関連情報の表示が自動的に行われる視聴制限機能内蔵テレビジョン受像機に関する。
【０００２】
【従来の技術】
暴力映像やわいせつ映像など、子供に見せたくない映像の視聴を制限する為の方法として、例えば、いわゆるＶチップ機能による方法などが知られている。
【０００３】
即ち、送信側で番組内容の過激度を表すレイティング情報を映像信号に重畳して伝送し、受信機側では受信した番組から前記レイティング情報を読み出し、利用者によって受信機にあらかじめ設定されているレイティングレベルと比較し、前記読み出されたレイティング情報が、前記受信機にあらかじめ設定されているレイティングレベルを超えた場合に映像をブロックする（視聴不可とする）というものである。
【０００４】
映像ブロック機能動作中（視聴が制限されている間）は、映像ミュート或いはモザイク等の映像加工処理により、受信した映像がブロックされる。このとき、画面上には、例えば図５に示す如くに、現在映像ブロック機能動作中であることを知らせる表示がなされる。図５は従来における映像ブロック中の画面の一例を示す図である。
【０００５】
映像ブロックは、子供によって容易に解除されることを防ぐ為、パスワード等によって保護されており、映像ブロックはパスワード入力等の操作を行うことにより解除されるようになっている。
【０００６】
また、映像ブロック機能動作中においては、通常、音声も同時にミュートされるようになっている。このため、以上のようなＶチップ機能等の視聴制限機能により映像がブロックされている状態において、視聴者が現在如何なる番組が受信されているのかを知るためには、ブロック機能の解除操作等が必要となる。
【０００７】
ところで現在、放送される番組に関連する種々の情報を、例えば映像信号に重畳して、視聴者に提供するサービスが実用化されている。その一例として、米国のＥｘｔｅｎｄｅｄ Ｄａｔａ Ｓｅｒｖｉｃｅ（ＸＤＳ）が挙げられる。このサービスは、現在放送している番組、あるいはこれから放送される番組に関する情報を、映像信号中の２ｎｄフィールド，ライン２１に重畳して伝送するものであり、主に、番組名，番組のタイプ等の情報が伝送される。また、前記レイティング情報を重畳して伝送することも勿論可能である。
【０００８】
送信側（放送局）は、このＸＤＳを利用して、現在放送している番組、或いはこれから放送される番組に関する一般的情報に加え、番組の内容の過激度を表すレイティング情報を伝送する。受信機側では受信した番組から前記レイティング情報が読み出され、利用者によって受信機にあらかじめ設定されているレイティングレベルと比較され、前記読み出されたレイティング情報が、前記受信機にあらかじめ設定されているレイティングレベルを超えた場合には映像のブロック処理が行われるものである。
【０００９】
ＸＤＳでは、受信側利用者の操作に応じ、即ちＸＤＳ表示機能をオンすることにより前記番組の情報を解読し、画面表示等を行うことができる。前記映像ブロック機能動作中であっても、利用者は、ＸＤＳ表示機能をオンすることにより、ブロック中の番組に関する情報を表示させることができる。しかし、これにはＸＤＳ表示機能をオンする操作が必要である。
【００１０】
以上のように従来の方法では、映像がブロックされている時、その番組の内容或いはその番組に関する情報を得るためには、映像ブロック機能の解除またはＸＤＳ表示機能をオンする操作等が必要である。
【００１１】
このため、例えば、視聴者が、番組名等から判断し、自ら映像ブロック機能を解除するか否かの判断を行う場合など、一旦、前記映像ブロック機能の解除またはＸＤＳ表示機能をオンする操作等を行い、当該番組の内容或いはその番組に関する情報（レイティング情報）等を得た後に判断を行わなければならず、操作が面倒であるといった問題が有った。
【００１３】
【発明が解決しようとする課題】
上記の如く、従来の方法では、映像がブロックされている時に、その番組の内容或いはその番組に関する種々の情報を得ようとした場合、映像ブロック機能の解除またはＸＤＳ表示機能をオンする操作等が必要であり、不便であるという問題（欠点）があった。
【００１４】
そこで、本発明は上述の事情に対応すべくなされたもので、視聴制限機能（映像ブロック機能）により映像がブロックされている時、視聴者が面倒な操作を行うことなく、番組関連情報を得ることが可能な視聴制限機能内蔵テレビジョン受像機を提供することを目的とするものである。
【００１５】
【課題を解決するための手段】
請求項１に記載の発明による視聴制限機能内蔵テレビジョン受像機は、
現在受信している番組の映像信号に重畳された、前記番組の過激度を表すレイティング情報および前記番組の番組名を含む番組関連情報のデータを抜き取るデータ抜き取り手段と、
ブロックすべき番組のレイティングを設定するレイティング設定手段と、
前記データ抜き取り手段により取り出されたレイティング情報に含まれるレイティングレベルと、前記レイティング設定手段によって設定されたレイティングレベルとを比較するレイティング解読手段と、
前記レイティング解読手段による解読の結果に応じて映像をブロックする映像ブロック手段と、
前記データ抜き取り手段により取り出された番組名を含む番組関連情報を解読する番組関連情報解読手段と、
前記番組関連情報解読手段により解読された番組関連情報を画面上に表示する機能を有する表示手段と、
前記映像ブロック手段による映像ブロック動作と連動して、前記表示手段による番組関連情報の表示のオン・オフを制御するものであって、前記映像ブロック手段によって映像ブロック動作が行われている場合には前記表示手段の番組関連情報表示機能をオンとし、前記映像ブロック手段によって映像ブロック動作が行われていない場合には前記表示手段の番組関連情報表示機能をオフとする制御手段と
を具備したことを特徴とするものである。
【００１６】
請求項２に記載の発明による視聴制限機能内蔵テレビジョン受像機は、請求項１に記載の視聴制限機能内蔵テレビジョン受像機において、前記レイティング設定手段が、使用者により予め設定されたレイティングレベルを記憶する記憶手段を備え、前記レイティング解読手段が、前記データ抜き取り手段により取り出されたレイティングレベルと、前記レイティング設定手段に記憶されたレイティングレベルとを比較することを特徴とするものである。
【００１７】
請求項３に記載の発明による視聴制限機能内蔵テレビジョン受像機は、請求項１に記載の視聴制限機能内蔵テレビジョン受像機において、前記データ抜き取り手段により取り出されたレイティングレベルが、前記レイティング設定手段によって設定されたレイティングレベルよりも高い場合には、前記映像ブロック手段は映像ブロック動作を行い、前記制御手段は前記表示手段の番組関連情報表示機能をオンとすることを特徴とするものであり、
請求項４に記載の発明による視聴制限機能内蔵テレビジョン受像機は、請求項１に記載の視聴制限機能内蔵テレビジョン受像機において、前記データ抜き取り手段により取り出されたレイティングレベルが、前記レイティング設定手段によって設定されたレイティングレベル以下の低い場合には、前記映像ブロック手段は映像ブロック動作を行わず、前記制御手段は前記表示手段の番組関連情報表示機能をオフとすることを特徴とするものである。
【００１９】
請求項１乃至４に記載の発明によれば、前記映像ブロック手段によって映像ブロック動作が行わている場合、前記制御手段は表示手段の番組関連情報表示機能をオンとして、該表示手段によって番組関連情報が画面上に表示されるように制御を行う。一方、前記映像ブロック手段によって映像ブロック動作が行われていない場合、前記制御手段は表示手段の番組関連情報表示機能をオフとして、該表示手段によって画面上に番組関連情報が表示されないように制御を行う。これにより、視聴制限機能によって映像がブロックされている間、使用者が何ら操作を行わなくとも、必要に応じ、自動的に当該番組の番組関連情報を画面上に表示させることが可能となる。
【００２０】
【発明の実施の形態】
以下、本発明の実施の形態について図面を参照して説明する。
図１は本発明の視聴制限機能内蔵テレビジョン受像機の実施の形態を示すブロック図である。
【００２１】
図１における視聴制限機能内蔵テレビジョン受像機は、アンテナ１，チューナ／ＩＦ回路２，映像信号処理回路３，表示処理回路４，ＣＲＴ５，データ抜き取り手段６，レイティング解読手段１３，映像ブロック手段１４，レイティング設定手段１５，番組関連情報解読手段１６，表示手段１７，並びに制御手段１８により構成される。
【００２２】
データ抜き取り手段６は、アンテナ１およびチューナ／ＩＦ回路２で受信・復調された映像信号に重畳された番組の過激度を表すレイティング情報および番組名等の番組関連情報のデータを抜き取る。レイティング設定手段１５はブロックすべき番組のレイティングを設定する。レイティング解読手段１３は受信したレイティング情報（レイティングレベル）を解読し、前記レイティング設定手段１５より利用者によって設定されたレイティングレベルと比較する。映像ブロック手段は前記レイティング解読手段１３による解読（比較）の結果に応じて表示処理回路４を制御し、ＣＲＴ５への映像の表示をブロックする。
【００２３】
番組関連情報解読手段１６は、受信した番組名等の番組関連情報を解読する。表示手段１７は前記番組関連情報解読手段１６により解読された番組関連情報を表示処理回路４に供給し、ＣＲＴ５の画面上に表示させる。制御手段１８は前記映像ブロック手段１４による映像ブロック動作と連動して、前記表示手段１７による番組関連情報表示のオン・オフを制御する。
【００２４】
次に、以上のように構成された視聴制限機能内蔵テレビジョン受像機の視聴制限動作について説明を行う。
【００２５】
レイティング解読手段１３は、レイティング設定手段１５から利用者によって設定されたレイティングレベルと、データ抜き取り手段６より供給されるレイティングレベルとを比較し、受信された（データ抜き取り手段６より供給された）レイティングレベルの方が高い場合、映像ブロック手段１４を制御して、ＣＲＴ５への映像の表示をブロックする。また、このとき、映像表示ブロックを検出した制御手段１８は、表示手段１７を制御して番組関連情報解読手段１６により解読された番組関連情報を表示処理回路４に供給して、ＣＲＴ５の画面上に表示させる。
【００２６】
一方、レイティング設定手段１５から利用者によって設定されたレイティングレベルと、データ抜き取り手段６より供給されるレイティングレベルとを比較した結果、受信されたレイティングレベルが、利用者によって設定されたレイティングレベル以下の場合、レイティング解読手段１３は映像ブロック手段１４を制御して、映像表示ブロックを解除する。また、このとき、例えば、映像表示ブロックの解除を検出した制御手段１８は、表示手段１７を制御して、番組関連情報解読手段１６により解読された番組関連情報の、表示処理回路４への供給を停止する。
【００２７】
以上により、視聴制限機能が動作していて、且つ映像がブロックされている間は、番組関連情報がＣＲＴ５の画面上に表示されることになる。そして、視聴者は、画面上に表示された番組関連情報を参照して、番組名等から判断し、自ら映像ブロック機能を解除するか否かの判断を容易に行うことが可能となる。
【００２８】
図２は図１の本発明の視聴制限機能内蔵テレビジョン受像機の構成を実際の回路構成により近い形で示したブロック図である。
【００２９】
図２における視聴制限機能内蔵テレビジョン受像機は、アンテナ１，チューナ／ＩＦ回路２，映像信号処理回路３，表示処理回路４，ＣＲＴ５，データ抜き取り手段６，ＣＰＵ７，ＯＳＤ回路，ＲＯＭ９，ＲＡＭ１０，不揮発性メモリ１１，並びに選択キー１２により構成される。
【００３０】
アンテナ１およびチューナ／ＩＦ回路２で受信・復調された映像信号は、映像信号処理回路３に供給されると共に、データ抜き取り手段６に供給され、前記ＸＤＳデータによって伝送されるレイディング情報（レイティングレベル）および番組関連情報が抜き取られる。抜き取られたレイディング情報はＣＰＵ７において、不揮発性メモリ１１に記憶されたレイティングレベルと比較される。なお、不揮発性メモリ１１には視聴者が選択キー１２により設定したレイティングレベルが、予め記憶されている。
【００３１】
前記ＣＰＵ７によるレイティングレベルの比較の結果、受信した（データ抜き取り手段６より供給される）レイティング情報（レイティングレベル）が、不揮発性メモリ１１に設定されているレイティングレベルよりも高かった場合、ＣＰＵ７は表示処理回路４を制御することにより、受信した映像信号から再生された表示映像信号（テレビジョン信号）をカットし、ＣＲＴ５への供給をブロック（映像ブロック）する。
【００３２】
このとき、ＣＰＵ７は前記データ抜き取り手段６より供給された番組関連情報を解読し、前記の映像ブロック動作を行うと同時に、ＯＳＤ回路８によって表示信号を発生させ、表示処理回路４を介して（制御して）、ＣＲＴ５に前記番組関連情報を供給・表示する。
【００３３】
一方、受信したレイティング情報（レイティングレベル）が、不揮発性メモリ１１に設定されているレイティングレベル以下であった場合、或いは、利用者がレイティングレベルの変更や、映像ブロック動作解除等の操作を行った場合には、ＣＰＵ７は表示処理回路４を制御することにより、映像ブロック動作を解除する。
【００３４】
また、このとき映像ブロック動作の解除を行うと同時に、ＣＲＴ５への番組関連情報の供給・表示を停止する。
【００３５】
以上の動作はＣＰＵ７を中心に行われるが、前記動作におけるＣＰＵ７の処理の流れを図３に示す。図３はＣＰＵ７の動作を示すフローチャートである。
以下、図３を参照しながら本発明における視聴制限機能（映像ブロック機能）について簡単に説明する。
【００３６】
いま、利用者により、映像ブロック機能がオンされているとすると、ＣＰＵ７は前記選択キー１２より設定されて不揮発性メモリ１１に記憶されたレイティングレベルと、データ抜き取り手段６より供給されたレイティングレベルとを比較し、データ抜き取り手段６より供給されたレイティングレベルの方が高ければ、映像ブロック処理を行う（ステップＳ１，Ｓ２，Ｓ３）と共に、ＣＲＴ５への番組関連情報表示をオンとする（ステップＳ４）。
【００３７】
一方、利用者により、映像ブロック機能がオフされた状態（ステップＳ１，Ｓ５）、または、データ抜き取り手段６より供給されたレイティングレベルの方が、選択キー１２より設定されて不揮発性メモリ１１に記憶されたレイティングレベル以下の場合（ステップＳ１，Ｓ２，Ｓ５）、映像ブロック動作中であれば、映像ブロック動作を解除すると共に、ＣＲＴ５への番組関連情報表示をオフとする（ステップＳ５，Ｓ６，Ｓ７）。
【００３８】
図４に本発明の実施の形態における映像ブロック動作中のＣＲＴ５の表示画面の一例を示す。
【００３９】
映像ブロック処理が行われているとき、利用者は、図４に示される如くの表示画面を見ることにより、現在受信されている番組の番組関連情報（図では、放送局名，番組名，並びに番組のタイプ）を何ら操作を行うこと無く、容易に得ることができる。
【００４０】
また、視聴制限機能を解除する権利を有する利用者（例えば大人）は、この番組関連情報を参照することにより、必要に応じて映像ブロック機能の解除を行うことができる。
【００４１】
【発明の効果】
以上述べたように本発明によれば、視聴制限機能により映像がブロックされている間、視聴者による如何なる操作も無しに、当該番組の内容或いはその番組に関する種々の情報であるところの番組関連情報を、自動的に画面上に表示させることが可能となる。
【図面の簡単な説明】
【図１】本発明の視聴制限機能内蔵テレビジョン受像機の実施の形態を示すブロック図である。
【図２】図１を実際の回路構成により近い形で示したブロック図である。
【図３】ＣＰＵの動作を示すフローチャートである。
【図４】本発明における映像ブロック動作中の表示画面の一例を示す図である。
【図５】従来における映像ブロック動作中の表示画面の一例を示す図である。
【符号の説明】
１    …アンテナ
２    …チユーナ／ＩＦ回路
３    …映像信号処理回路
４    …表示処理回路
５    …ＣＲＴ
６    …データ抜き取り手段
１３  …レイティング解読手段
１４  …映像ブロック手段
１５  …レイティング設定手段
１６  …番組関連情報解読手段
１７  …表示手段
１８  …制御手段
【図１】
0003875370.tif 000002
【図２】
0003875370.tif 000003
【図３】
0003875370.tif 000004
【図４】
0003875370.tif 000005
【図５】
0003875370.tif 000006